(57)【要約】【課題】    本発明の目的は、経机を本体の前面より大きく引き出すことができる仏壇を提供するものである。【解決手段】    仏壇１は、前面を有する本体１０を備えた仏壇１であって、本体１０内に設けられ、使用時、本体１０の前面より突出するように設けられた上面３０ａが載置台となる経机３０と、本体１０内の下方側に位置するベース１７と、このベース１７に固定された第１の固定側レールＦ１と、ベース１７の上であって、経机３０の下に位置する移動体４０と、この移動体４０の底面に固定され、第１の固定側レールＦ１に対して摺動する第１の移動側レールＭ１と、移動体４０の上面に固定された第２の固定側レールＦ２と、経机３０の底面に固定され、第２の固定側レールＦ２に対して摺動する第２の移動側レールＭ２とを備えているものである。【選択図】図８
2014207928.tif 000002
【特許請求の範囲】
【請求項１】
前面を有する本体を備えた仏壇であって、
前記本体内に設けられ、使用時、前記本体の前面より突出するように設けられた上面が載置台となる経机と、
前記本体内の下方側に位置するベースと、
このベースに固定された第１の固定側レールと、
前記ベースの上であって、前記経机の下に位置する移動体と、
この移動体の底面に固定され、前記第１の固定側レールに対して摺動する第１の移動側レールと、
前記移動体の上面に固定された第２の固定側レールと、
前記経机の底面に固定され、前記第２の固定側レールに対して摺動する第２の移動側レールとを備えている
ことを特徴とする仏壇。                             
【請求項２】
移動体に前面から出し入れ自在な収納部が設けられている
ことを特徴とする請求項１記載の仏壇。
【請求項３】
ベースより上方に位置し、本体内に設けられた水平部材と、
経机の正面視、左に位置する一方の側壁の上方部位に回動自在に設けた第１の載置台と、
前記経机の正面視、右に位置するの他方の側壁の上方部位に回動自在に設けた第２の載置台と、
前記第１の載置台に取り付けられ、前記第１の載置台に接合され、前記第１の載置台に置かれた花瓶の外周を支持する第１の支持部材と、
前記第２の載置台に取り付けられ、前記第２の載置台に接合され、前記第２の載置台に置かれた花瓶の外周を支持する第２の支持部材とを備え、
前記経机と前記移動体の本体内の収納時、前記経机と前記移動体は、前記水平部材と前記ベースの間に位置している
ことを特徴とする請求項１記載の仏壇。
【請求項４】
ベース又は第１の固定側レールに設けられた第１のストッパーと、
移動体に設けられ、前記第１のストッパーに係止する第１の係止部材とを備え、
前記第１の係止部材が前記第１のストッパーに係止し、前記移動体が本体の前面から離脱するのを防止することを特徴とする請求項１記載の仏壇。
【請求項５】
移動体又は第２の固定側レールに設けられた第２のストッパーと、
経机に設けられ、前記第２のストッパーに係止する第２の係止部材とを備え、
前記第２の係止部材が前記第２のストッパーに係止し、前記経机が前記移動体の前面から離脱するのを防止することを特徴とする請求項１記載の仏壇。
【発明の詳細な説明】
【技術分野】
【０００１】
本発明は、仏壇に係り、特に、経机を本体の前面より大きく引き出すことができる仏壇に関する。
【０００２】
従来、例えば、経机を備えた仏壇がある（例えば、特許文献１参照）。
この仏壇は、箱体内に前方開口部より突出自在に設けられた経机を設け、経机の先端を箱部の前方開口部より突出できるようにしている。
【先行技術文献】
【特許文献】
【０００３】
【特許文献１】特開２００９−２７９３３８号公報（図３）
【発明の開示】
【発明が解決しようとする課題】
【０００４】
ところが、経机の先端を箱部の前方開口部よりの突出量を増大させようとすれば、経机の支持が不安定になるという問題点があった。
【０００５】
本発明は、上記の問題点を除去するようにした仏壇を提供することを目的とする。
【課題を解決するための手段】
【０００６】
本発明の仏壇は、前面を有する本体を備えた仏壇であって、前記本体内に設けられ、使用時、前記本体の前面より突出するように設けられた上面が載置台となる経机と、前記本体内の下方側に位置するベースと、このベースに固定された第１の固定側レールと、前記ベースの上であって、前記経机の下に位置する移動体と、この移動体の底面に固定され、前記第１の固定側レールに対して摺動する第１の移動側レールと、前記移動体の上面に固定された第２の固定側レールと、前記経机の底面に固定され、前記第２の固定側レールに対して摺動する第２の移動側レールとを備えているものである。
【０００７】
また、請求項２記載の仏壇は、請求項１記載の仏壇において、移動体に前面から出し入れ自在な収納部が設けられているものである。
【０００８】
また、請求項３記載の仏壇は、請求項１記載の仏壇において、ベースより上方に位置し、本体内に設けられた水平部材と、経机の正面視、左に位置する一方の側壁の上方部位に回動自在に設けた第１の載置台と、前記経机の正面視、右に位置するの他方の側壁の上方部位に回動自在に設けた第２の載置台と、前記第１の載置台に取り付けられ、前記第１の載置台に接合され、前記第１の載置台に置かれた花瓶の外周を支持する第１の支持部材と、前記第２の載置台に取り付けられ、前記第２の載置台に接合され、前記第２の載置台に置かれた花瓶の外周を支持する第２の支持部材とを備え、前記経机と前記移動体の本体内の収納時、前記経机と前記移動体は、前記水平部材と前記ベースの間に位置しているものである。
【０００９】
また、請求項４記載の仏壇は、請求項１記載の仏壇において、ベース又は第１の固定側レールに設けられた第１のストッパーと、移動体に設けられ、前記第１のストッパーに係止する第１の係止部材とを備え、前記第１の係止部材が前記第１のストッパーに係止し、前記移動体が本体の前面から離脱するのを防止するものである。
【００１０】
また、請求項５記載の仏壇は、請求項１記載の仏壇において、移動体又は第２の固定側レールに設けられた第２のストッパーと、経机に設けられ、前記第２のストッパーに係止する第２の係止部材とを備え、前記第２の係止部材が前記第２のストッパーに係止し、前記経机が前記移動体の前面から離脱するのを防止するものである。
【発明の効果】
【００１１】
請求項１記載の仏壇によれば、経机を使用するときには、経机を最大前方へ引き出そうとすれば、経机の下に位置する移動体も動いて、移動体の先端が本体の前面より突出し、更に、前記移動体の先端より前記経机の先端が突出するため、突出する分、経机を本体の前面よりより大きく引き出すことができる。
その結果、経机の上面が開放され、経机の上面に蝋燭台、花瓶等を自由に載置することができ、使用勝手を向上させることができ、しかも、経机の本体の前面より突出する量が大きくなっても、経机は移動体に、移動体はベースにそれぞれ支持されるため、経机を安定して支持することができる。
【００１２】
また、請求項２記載の仏壇によれば、上述の請求項１記載の発明の効果に加え、経机を最大前方へ引き出そうとすれば、経机の下に位置する移動体も動いて、移動体の先端が本体の前面より突出し、しかも、移動体は収納部を有する分、構造的に強く、経机を強固に強く支持することができ、更に、経机を最大前方へ引き出そうとすれば、経机の下に位置する移動体も動いて、移動体の先端が本体の前面より突出するため、移動体の収納部への手をかけやすくして、収納部の開閉動作の利便性を向上させることができる。
【００１３】
また、請求項３記載の仏壇によれば、上述の請求項１記載の発明の効果に加え、花瓶を第１、第２の支持部材で安定して支持することができる。
【００１４】
また、請求項４記載の仏壇によれば、上述の請求項１記載の発明の効果に加え、第１の係止部材が第１のストッパーに係止するため、移動体が本体の前面から離脱するのを防止することができる。
【００１５】
また、請求項５記載の仏壇によれば、上述の請求項１記載の発明の効果に加え、第２の係止部材が第２のストッパーに係止するため、経机が移動体の前面から離脱するのを防止することができる。
【発明を実施するための最良の形態】
【００１６】
本発明の仏壇の一実施例を図面を参照して説明する
図１乃至図１５において、１は仏壇で、仏壇１は、前面を有する本体１０を備えている。
本体１０は、例えば、天板１１、底板１２、両側板１３、１４、背板１５からなる前方が開放された箱形形状となっている。
この箱形形状の前面は、扉２０で開閉可能となっており、扉２０は、正面視、右側扉Ａ１、Ａ２と左側扉Ｂ１、Ｂ２とを有し、右側扉Ａ１と右側扉Ａ２とは蝶番Ｔで、左側扉Ｂ１と左側扉Ｂ２とは、蝶番ｔで接続されている。
【００１７】
また、本体１０には、図６乃至図８に示すように、下方にベース１７が設けられ、該ベース１７より上方に位置し、本体１０内に水平部材１８が設けられている。
また、本体１０内には、図示しない安置物、仏飯器、茶台、香炉、燭台、花立等の仏具、経机３０が収納されている。
【００１８】
経机３０は、本体１０内に設けられ、使用時、本体１０の前面より突出するように設けられた上面３０ａが載置台となるものである。
経机３０には、例えば、第１の収納部３０ｂ、第２の収納部３０ｃが設けられている。
経机３０の正面視、左に一方の側壁Ｌが位置し、一方の側壁Ｌの上方部位に回動自在に第１の載置台３０Ｌが設けられている。
３０Ｌ１は、第１の載置台３０Ｌに置かれた花瓶Ｖ１の外周を支持する第１の支持部材で、第１の支持部材３０Ｌ１は、第１の載置台３０Ｌに取り付けられている。
第１の支持部材３０Ｌ１は、例えば、第１の載置台３０Ｌに立設する壁Ｗ１、該壁Ｗ１に固定された環状体Ｃ１、Ｃ２で形成され、第１の載置台３０Ｌに置かれた花瓶Ｖ１の外周に環状体Ｃ１、Ｃ２が位置し、花瓶Ｖ１が倒れようとすると、花瓶Ｖ１の外周を環状体Ｃ１、Ｃ２が支持するようになっている。
【００１９】
また、経机３０の正面視、右に他方の側壁Ｒが位置し、他方の側壁Ｒの上方部位に回動自在に第２の載置台３０Ｒが設けられている。
３０Ｒ１は、第２の載置台３０Ｒに置かれた花瓶Ｖ２の外周を支持する第２の支持部材で、第２の支持部材３０Ｒ１は、第２の載置台３０Ｒに取り付けられている。
第２の支持部材３０Ｒ１は、例えば、第２の載置台３０Ｒに立設する壁Ｗ２、該壁Ｗ２に固定された環状体Ｃ３、Ｃ４で形成され、第２の載置台３０Ｒに置かれた花瓶Ｖ２の外周に環状体Ｃ３、Ｃ４が位置し、花瓶Ｖ２が倒れようとすると、花瓶Ｖ２の外周を環状体Ｃ３、Ｃ４が支持するようになっている。
【００２０】
なお、経机３０と後述する移動体４０の本体１０内の収納時、経机３０と移動体４０は、水平部材１８とベース１７の間に位置している（図６参照）。
ベース１７には、図１１及び図１２に示すように、第１の固定側レールＦ１、Ｆ１が、第１のストッパーＳ１が、それぞれ固定されて設けられ、第１のストッパーＳ１は、第１の固定側レールＦ１と第１の固定側レールＦ１との間に位置している。
また、上述した移動体４０は、ベース１７の上であって、経机３０の下に位置している。
移動体４０の底面には、第１の移動側レールＭ１、Ｍ１が固定され、第１の移動側レールＭ１、Ｍ１は、第１の固定側レールＦ１、Ｆ１に対して摺動するようになっている。
また、Ｋ１は、第１のストッパーＳ１に係止する第１の係止部材で、第１の係止部材Ｋ１は、移動体４０に設けられている。
そのため、第１の係止部材Ｋ１が第１のストッパーＳ１に係止すると、移動体４０が本体１０の前面から離脱するのを防止するようになっている（図７、図１１、図１２参照）。
【００２１】
また、図８、図１３に示すＦ２は、移動体４０の上面に固定された第２の固定側レールで、例えば、複数設けられている。
また、図８、図１５に示すＭ２は、経机３０の底面に固定された第２の移動側レールで、例えば、複数設けられている。
この第２の移動側レールＭ２、Ｍ２は、第２の固定側レールＫ２、Ｋ２に対して摺動するようになっている。
移動体４０の上面には、図１１及び図１３に示すように、第２の固定側レールＦ２、Ｆ２が、第２のストッパーＳ２が、それぞれ固定されて設けられ、第２のストッパーＳ２は、第２の固定側レールＦ２と第２の固定側レールＦ２との間に位置している。
また、Ｋ２は、第２のストッパーＳ２に係止する第２の係止部材で、第２の係止部材Ｋ２は、経机３０に設けられている。
そのため、第２の係止部材Ｋ２が第２のストッパーＳ２に係止すると、経机３０が移動体４０の前面から離脱するのを防止するようになっている（図８、図１１、図１３参照）。
【００２２】
従って、上述した仏壇１によれば、経机３０を使用するときには、経机３０を最大前方へ引き出そうとすれば、図６乃至図８に示すように、経机３０の下に位置する移動体４０も動いて、移動体４０の先端が本体１０の前面より突出し、更に、移動体４０の先端より経机３０の先端が突出するため、突出する分、経机３０を本体１０の前面よりより大きく引き出すことができる。
その結果、経机３０の上面３０ａが開放され、経机３０の上面３０ａに蝋燭台、花瓶等を自由に載置することができ、使用勝手を向上させることができ、しかも、経机３０の本体１０の前面より突出する量が大きくなっても、経机３０は移動体４０に、移動体４０はベース１７にそれぞれ支持されるため、経机３０を安定して支持することができる。
【００２３】
上述した実施例においては、移動体４０は平板状部材であったが、本願発明のものにあっては、これに限らず、例えば、図１６乃至図１９に示すように、移動体４０に前面から出し入れ自在な収納部４０ａを設けるようにしても良い。
かかる場合、経机３０を最大前方へ引き出そうとすれば、図１７乃至図１９に示すように、経机３０の下に位置する移動体４０も動いて、移動体４０の先端が本体１０の前面より突出し、しかも、移動体４０は収納部４０ａを有する分、構造的に強く、経机３０を強固に強く支持することができ、更に、経机３０を最大前方へ引き出そうとすれば、経机３０の下に位置する移動体４０も動いて、移動体４０の先端が本体１０の前面より突出するため、移動体４０の収納部４０ａへの手をかけやすくして、収納４０ａ部の開閉動作の利便性を向上させることができる。
なお、図１６乃至図１９に示す実施例においては、上述の実施例（図１乃至図１５）と同一部分に同一符号を付して、その説明を省略する。
【００２４】
また、上述した実施例においては、第１のストッパーＳ１をベース１７に、第１の係止部材Ｋ１を移動体４０に、それぞれ設けるようにしたが、本願発明にあっては、これに限らず、例えば、図２０乃至図２４に示すように、第１のストッパーＳ１’を第１の固定側レールＦ１に、第１の係止部材Ｋ１を第１の移動側レール移動体Ｍ１に、それぞれ設けるようにしても良い。
なお、図２０乃至図２２は、第１の係止部材Ｋ１が第１のストッパーＳ１に係止前を、図２３、図２４は、第１の係止部材Ｋ１が第１のストッパーＳ１に係止状態を、それぞれ示している。
また、第２のストッパーＳ２を移動体４０に、第２の係止部材Ｋ２を経机３０に、それぞれ設けるようにしたが、本願発明にあっては、これに限らず、図２５乃至図２９に示すように、第２のストッパーＳ２’を第２の固定側レールＦ２に、第２の係止部材Ｋ２を第２の移動側レールＭ２に、それぞれ設けるようにしても良い。
なお、図２５乃至図２７は、第２の係止部材Ｋ２が第２のストッパーＳ２に係止前を、図２８、図２９は、第２の係止部材Ｋ２が第２のストッパーＳ２に係止状態を、それぞれ示している。
【００２５】
また、図３０乃至図３４に示す実施例は、図６記載の水平部材１８の下方に膳引き２０’を設けたものである。
膳引き２０’は、水平部材１８の下方に位置し、両側板１３、１４に設けた溝を摺動するようになっている(図３２参照)。膳引き２０’の先端部の裏面には、図３０に示すように、磁石Ｇ１が取り付けられ、磁石Ｇ１と対向する経机３０の部位には、磁性体(例えば、鉄板）Ｇ２が取り付けられている。
従って、図３０の位置にある経机３０が本体１０内から前方へ引き出されると、磁性体(例えば、鉄板）Ｇ２と磁石Ｇ１とが磁力により吸着した状態で、経机３０が本体１０内から前方へと移動することとなる（図３１及び図３３参照）。
そして、図３３の位置にある経机３０を本体１０内へ収納する場合には、図３３に示す矢印方向へ経机３０を移動させ、経机３０は、図３３、図３１の順に移動する。なお、図３３、図３１においては、磁性体(例えば、鉄板）Ｇ２と磁石Ｇ１とが磁力により吸着した状態となっている。
その後、図３１に示す矢印方向と反対方向へ経机３０を移動させると、磁性体(例えば、鉄板）Ｇ２と磁石Ｇ１との吸着状態が解除され、経机３０のみが本体１０内へ移動することとなる（図３４参照）。
【図面の簡単な説明】
【００２６】
【図１】図１は、本発明の一実施例の仏壇の概略的斜視図で、開閉可能な一対の扉板を有する本体の前面の開口部が開いた状態を示している。
【図２】図２は、図１の経机を前方へ引き出した状態の概略的斜視図である。
【図３】図３は、図１の仏壇の概略的正面図である。
【図４】図４は、図３の概略的側面図である。
【図５】図５は、図４の経机を前方へ引き出した状態の概略的側面図である。
【図６】図６は、図３のＡ−Ａ線の概略的断面図である。
【図７】図７は、図６の経机が本体内から前方へ引き出された状態の概略的一部断面図である。
【図８】図８は、図７の経机が本体内から更に前方へ引き出された状態の概略的断面図である。
【図９】図９は、図８のＣ−Ｃ線の概略的断面図である。
【図１０】図１０は、図９の第１、第２の載置台を本体の側方に回動させた状態の概略的断面図である。
【図１１】図１１は、図６のＢ−Ｂ線の概略的断面図である。
【図１２】図１２は、図１１のＤ−Ｄ線の概略的断面図である。
【図１３】図１３は、図１１のＥ−Ｅ線の概略的断面図である。
【図１４】図１４は、図１１のＦ−Ｆ線の概略的断面図である。
【図１５】図１５は、図１１のＧ−Ｇ線の概略的断面図である。
【図１６】図１６は、図１乃至図１５記載の移動体と異なる移動体を有した仏壇の概略的一部正面図である。
【図１７】図１７は、図１６のＨ−Ｈ線の概略的断面図である。
【図１８】図１８は、図１７の移動体を前方へ引き出した状態の概略的断面図である。
【図１９】図１９は、図１８の経机を前方へ更に引き出した状態の概略的断面図である。
【図２０】図２０は、図１乃至図１５記載のベース上の第１のストッパー、該第１のストッパーに係止する第１の係止部材と異なる他の実施例の概略的平面図である。
【図２１】図２１は、図２０のＩ−Ｉ線の概略的断面図である。
【図２２】図２２は、図２０の第１のストッパー、第１の係止部材の取り付け状態を示す概略的断面図である。
【図２３】図２３は、図２０の第１の固定側レールの第１のストッパーに第１の係止部材が係止した状態を示す概略的平面図である。
【図２４】図２４は、図２３の概略的断面図である。
【図２５】図２５は、図１乃至図１５記載の移動体上の第２のストッパー、該第２のストッパーに係止する第２の係止部材と異なる他の実施例の概略的平面図である。
【図２６】図２６は、図２５のＪ−Ｊ線の概略的断面図である。
【図２７】図２７は、図２５の第２のストッパー、第２の係止部材の取り付け状態を示す概略的断面図である。
【図２８】図２８は、図２５の第２の固定側レールの第２のストッパーに第２の係止部材が係止した状態を示す概略的平面図である。
【図２９】図２９は、図２８の概略的断面図である。
【図３０】図３０は、図６記載の水平部材の下方に膳引きを設けた実施例の概略的断面図である。
【図３１】図３１は、図３０の経机が本体内から前方へ引き出された状態の概略的断面図である。
【図３２】図３２は、図３１の３２−３２線の概略的断面図である。
【図３３】図３３は、図３１の経机が本体内から更に前方へ引き出された状態の概略的断面図である。
【図３４】図３４は、図３３の経机が本体内へ収納された状態の概略的断面図である。
【符号の説明】
【００２７】
１        仏壇
１０      本体
１７      ベース
３０      経机
４０      移動体
３１ａ    張出部
３１ｂ    張出部
Ｆ１      第１の固定側レール
Ｆ２      第２の固定側レール
Ｍ１      第１の移動側レール
Ｍ２      第２の移動側レール
【図１】
2014207928.tif 000003
【図２】
2014207928.tif 000004
【図３】
2014207928.tif 000005
【図４】
2014207928.tif 000006
【図５】
2014207928.tif 000007
【図６】
2014207928.tif 000008
【図７】
2014207928.tif 000009
【図８】
2014207928.tif 000010
【図９】
2014207928.tif 000011
【図１０】
2014207928.tif 000012
【図１１】
2014207928.tif 000013
【図１２】
2014207928.tif 000014
【図１３】
2014207928.tif 000015
【図１４】
2014207928.tif 000016
【図１５】
2014207928.tif 000017
【図１６】
2014207928.tif 000018
【図１７】
2014207928.tif 000019
【図１８】
2014207928.tif 000020
【図１９】
2014207928.tif 000021
【図２０】
2014207928.tif 000022
【図２１】
2014207928.tif 000023
【図２２】
2014207928.tif 000024
【図２３】
2014207928.tif 000025
【図２４】
2014207928.tif 000026
【図２５】
2014207928.tif 000027
【図２６】
2014207928.tif 000028
【図２７】
2014207928.tif 000029
【図２８】
2014207928.tif 000030
【図２９】
2014207928.tif 000031
【図３０】
2014207928.tif 000032
【図３１】
2014207928.tif 000033
【図３２】
2014207928.tif 000034
【図３３】
2014207928.tif 000035
【図３４】
2014207928.tif 000036